(57)【要約】【課題】  従来技術は小分けしてなる薬であり、これを回転盤に１日分等薬品収納室に入れて使用するもので、本発明のような薬包帯状の薬を使用するものではない。【解決手段】  薬包帯を収納すべく、平板を折り曲げた収納本体の先端部に開口部を設けるべく、両側板に開口部を形成するための支持片を設けてなることを特徴とする薬包帯用ケース。【選択図】図１
2020075073.tif 000002
【特許請求の範囲】
【請求項１】
薬包帯を収納すべく、平板を折り曲げた収納本体の先端部に開口部を設けるべく、両側板に開口部を形成するための支持片を設けてなることを特徴とする薬包帯用ケース。
【請求項２】
前記収納本体と前記両側板を組立てるべく、収納本体に差込孔を、この差込孔に対応する突片を両側板に設けてなることを特徴とする請求項１記載の薬包帯用ケース。
【請求項３】
前記差込孔と突片を複数箇所設けると共に、自立すべく突片を脚として使用することを特徴とする請求項１又は２記載の薬包帯用ケース。
【請求項４】
前記両側板に、前記収納本体の後部を差し込む後部差込溝を、前記支持片に前記収納本体の先端部を差し込む先端部差込溝を設け、それぞれ差し込むことにより開口部を形成してなることを特徴とする請求項１、２又は３記載の薬包帯用ケース。
【請求項５】
前記開口部より必要な薬包帯を引き出し、使用できることを特徴とする請求項１、２、３又は４記載の薬包帯用ケース。
【請求項６】
両側板を円板状あるいは多角形状にしてなることを特徴とする請求項１、２、３、４又は５記載の薬包帯用ケース。
【請求項７】
収納本体に、薬包帯を収納すべく、折り目を設けてなることを特徴とする請求項１、２、３、４、５又は６記載の薬包帯用ケース。
【発明の詳細な説明】
【技術分野】
【０００１】  本発明は、薬包帯の薬を効率よく引き出し、使用できる薬包帯用ケースに関するものである。
【背景技術】
【０００２】  従来の技術として、１回に服用する各種薬剤を封入してなる薬包において、薬剤の服用時期を表示するために朝、昼、夕等の時間帯表示欄及び食前、食後等の時機表示欄が設けられ、封入した薬剤を服用すべき時間帯及び時機を示す絵文字が時間帯表示欄及び時機表示欄の一方又は双方に記載されていることを特徴とする薬包帯がある。（特許文献１参照）【０００３】  また、別の従来技術として、薬を１回に服用すべき単位で区分けして収納する薬箱であって、縦１列に、回転盤の１日分・１回分の薬品収納室が各段が区分してある。上部のハンドルを１区画廻すと一斉に、その日の１日分を薬品排出窓に現れる、本発明では薬品収納室を引き出すと、薬品収納室が前部を下にして傾斜した状態で停止します。斜めになっているので内容物が残留してないか、薬品収納室の底まで見えているので確認できる。縦１列に並べた収納容器がある。（特許文献２参照）
【先行技術文献】
【特許文献】
【０００４】
【特許文献１】特開２００３−２３６１号公報
【特許文献２】実用新案登録第３１３６６９７号公報
【発明の概要】
【発明が解決しようとする課題】
【０００５】  上記前者においては、本発明に使用する薬包帯の一例を示すもので、このような薬包帯を薬包帯ケースに入れて使用するものである。【０００６】  上記後者のものは、小分けしてなる薬であり、これを回転盤に１日分等薬品収納室に入れて使用するもので、本発明のような薬包帯状の薬を使用するものではない。【０００７】  本発明は、このような従来の構成が有していた問題を解決しようとするものであり、収納本体と両側板とのシンプルな構成でありながら、薬包帯を巻き状にして中に入れるだけで必要な薬（薬袋）を引き出して取り出すことができる薬包帯用ケースを実現することを目的とする。
【課題を解決するための手段】
【０００８】  本発明は、上記目的を達成するために、薬包帯を収納すべく、平板を折り曲げた収納本体の先端部に開口部を設けるべく、両側板に開口部を形成するための支持片を設けてなること。前記収納本体と前記両側板を組立てるべく、収納本体に差込孔を設け、この差込孔に対応する突片を両側板に設けてなること。前記差込孔と突片を複数箇所設けると共に、自立すべく突片を脚として使用すること。前記両側板に、前記収納本体の後部を差し込む後部差込溝を、前記支持片に前記収納本体の先端部を差し込む先端部差込溝を設け、それぞれ差し込むことにより開口部を形成してなること。前記開口部より必要な薬包帯を引き出し、使用できること。両側板を円板状あるいは多角形状にし、収納本体に、薬包帯を収納すべく、折り目を設けてなることを特徴とする。
【発明の効果】
【０００９】１）、収納本体と両側板とのシンプルな構造で、中に巻き状にした薬包帯を入れるだけで    、必要な薬を引き出し、使用できる。
２）、収納本体の差込孔と両側板の突片により、簡単に組み立てられる。
３）、突片を自立する脚として使用できる。
４）、支持片により、開口部を形成でき、必要な薬を引き出し易い。
５）、両側板を円板状や多角形状にすることにより色々なデザインを楽しむことができる    。
６）、折り目を設けることにより、巻いた状態の薬包帯を容易に収納できる。
【図面の簡単な説明】
【００１０】
【図１】  本発明の一実施例を示す薬包帯用ケースの正面図。
【図２】  本発明の一実施例を示す薬包帯用ケースの側面図。
【図３】  本発明の一実施例を示す薬包帯用ケースの両側板の正面図。
【図４】  本発明の一実施例を示す薬包帯用ケースの収納本体の平面図。
【発明を実施するための形態】
【００１１】  １は、薬包帯用ケースである。
２は、薬包帯を収納すべく、平板を円筒状に折り曲げた収納本体で、４箇所に差込孔２ａを設けると共に、折り目２ｂを設けてある。
３は、前面上部に支持片３ａを設けた両側板で、上部に収納本体２の後部を差し込む後部差込溝３ｂを、支持片３ａに収納本体２の先端部を差し込む先端部差込溝３ａ１を設けると共に、下部４箇所に突片３ｃを設けてある。
４は開口部で、ここより薬包帯を引き出して取り出すことができる。
【００１３】  つぎに、組立手順について説明する。
まず、収納本体２の後部を両側板３の後部差込溝３ｂに差し込み、両側板３・３のの側面に沿って収納本体２を折り曲げ、突片３ｃ（４箇所）を差込孔２あ（４箇所）に挿入し、突出させた後、同様に収納本体２を両側板３・３の側面に沿って折り曲げ、収納本体２の先端部を両側板３・３の支持片３あの先端部を先端部差込板溝３ａ１に差し込み完成する。
なお、この状態で開口部４が形成される。
【００１４】  つぎに、薬包帯用ケース１の
収納本体２の先端部を折り目２ｂより外側に開口し、中に薬包帯Ｋを巻いた状態で入れ、先端の薬袋Ｋ１を開口部４より突出させておく、この状態で１袋ずつ引き出して使用するものである。
【００１５】  なお、上記実施例において、収納本体や両側板の材質は紙やフィルム等、特に限定することなく、中身が見える透明素材でもよい。
また、大きさや形状も必要に応じて決めればよく、特に両側板は四角形や六角形等でもよい。
さらに、薬包帯用ケースを連設し、開口部を複数設け、複数の薬包帯を使用することも一考である。
さらにまた、この薬包帯用ケースは、帯状袋用ケースとしても使用でき、例えば一般に販売されている帯状の袋菓子を巻き状にして使用できる。
【符号の説明】  １―――薬包帯用ケース
２―――収納本体
３―――両側板
４―――開口部
Ｋ―――薬包帯
【図１】
2020075073.tif 000003
【図２】
2020075073.tif 000004
【図３】
2020075073.tif 000005
【図４】
2020075073.tif 000006